(57)【特許請求の範囲】
【請求項１】
第１ネットワークから前記第１ネットワークと無線通信方式が異なる第２ネットワークへハンドオーバを行う無線端末であって、
前記第１ネットワークと無線リンクを設定する第１リンク制御部と、
前記第２ネットワークと無線リンクを設定する第２リンク制御部と、
前記第１ネットワークから前記第２ネットワークへの移動性を管理する移動性管理部と、
前記第１ネットワークから前記第２ネットワークへのハンドオーバを制御するハンドオーバ制御部と
を備え、
前記移動性管理部は、前記第２ネットワークと無線リンクの設定を開始する条件である第１条件及び前記第１ネットワークから前記第２ネットワークへのハンドオーバを実行する条件である第２条件を含む条件設定要求を前記ハンドオーバ制御部に通知し、
前記ハンドオーバ制御部は、前記移動性管理部から受信した前記条件設定要求を前記第１リンク制御部に通知し、
前記第１条件は、前記第１ネットワークと設定された無線リンクにおいて複数の無線パラメータが満たすべき閾値の組み合わせを示しており、
前記第２条件は、前記第１ネットワークと設定された無線リンクにおいて複数の無線パラメータが満たすべき閾値の組み合わせを示していることを特徴とする無線端末。
【請求項２】
前記条件設定要求は、前記第１条件が満たされているか否かを判定する周期、及び、前記第２条件が満たされているか否かを判定する周期を含むことを特徴とする請求項１に記載の無線端末。
【請求項３】
第１ネットワークから前記第１ネットワークと無線通信方式が異なる第２ネットワークへの移動性を管理する移動性管理部と、
前記第１ネットワークから前記第２ネットワークへのハンドオーバを制御するハンドオーバ制御部と
を備え、
前記移動性管理部は、前記第２ネットワークと無線リンクの設定を開始する条件である第１条件及び前記第１ネットワークから前記第２ネットワークへのハンドオーバを実行する条件である第２条件を含む条件設定要求を前記ハンドオーバ制御部に通知し、
前記ハンドオーバ制御部は、前記移動性管理部から受信した前記条件設定要求を、前記第２ネットワークと無線リンクを設定する第２リンク制御部にではなく、前記第１ネットワークと無線リンクを設定する第１リンク制御部に通知し、
前記第１条件は、前記第１ネットワークと設定された無線リンクにおいて複数の無線パラメータが満たすべき閾値の組み合わせを示しており、
前記第２条件は、前記第１ネットワークと設定された無線リンクにおいて複数の無線パラメータが満たすべき閾値の組み合わせを示していることを特徴とする情報処理装置。
【請求項４】
第１ネットワークから前記第１ネットワークと無線通信方式が異なる第２ネットワークへの移動性を管理する移動性管理部と、
前記第１ネットワークから前記第２ネットワークへのハンドオーバを制御するハンドオーバ制御部と
を備えた情報処理装置に適用される情報処理プログラムであって、
コンピュータに、
前記移動性管理部が、前記第２ネットワークと無線リンクの設定を開始する条件である第１条件及び前記第１ネットワークから前記第２ネットワークへのハンドオーバを実行する条件である第２条件を含む条件設定要求を前記ハンドオーバ制御部に通知するステップと、
前記ハンドオーバ制御部が、前記移動性管理部から受信した前記条件設定要求を、前記第２ネットワークと無線リンクを設定する第２リンク制御部にではなく、前記第１ネットワークと無線リンクを設定する第１リンク制御部に通知するステップと
を実行させ、
前記第１条件は、前記第１ネットワークと設定された無線リンクにおいて複数の無線パラメータが満たすべき閾値の組み合わせを示しており、
前記第２条件は、前記第１ネットワークと設定された無線リンクにおいて複数の無線パラメータが満たすべき閾値の組み合わせを示していることを特徴とする情報処理プログラム。
【請求項５】
第１ネットワークから前記第１ネットワークと無線通信方式が異なる第２ネットワークへの移動性を管理するＭＩＨユーザと、
前記第１ネットワークから前記第２ネットワークへのハンドオーバを制御するＭＩＨ機能部と
を備えた情報処理装置で用いられる情報処理方法であって、
前記ＭＩＨユーザが、前記第２ネットワークと無線リンクの設定を開始する条件である第１条件及び前記第１ネットワークから前記第２ネットワークへのハンドオーバを実行する条件である第２条件を含むＬｉｎｋ＿Ｃｏｎｆｉｇｕｒｅ＿Ｔｈｒｅｓｈｏｌｄ．ｒｅｑｕｅｓｔを前記ＭＩＨ機能部に通知するステップと、
前記ＭＩＨ機能部が、前記ＭＩＨユーザから受信した前記Ｌｉｎｋ＿Ｃｏｎｆｉｇｕｒｅ＿Ｔｈｒｅｓｈｏｌｄ．ｒｅｑｕｅｓｔを、前記第２ネットワークと無線リンクを設定する第２リンク制御部にではなく、前記第１ネットワークと無線リンクを設定する第１リンク制御部に通知するステップと
を含み、
前記第１条件は、前記第１ネットワークと設定された無線リンクにおいて複数の無線パラメータが満たすべき閾値の組み合わせを示しており、
前記第２条件は、前記第１ネットワークと設定された無線リンクにおいて複数の無線パラメータが満たすべき閾値の組み合わせを示していることを特徴とする情報処理方法。
【発明の詳細な説明】
【技術分野】
【０００１】
本発明は、第１ネットワークから前記第１ネットワークと無線通信方式が異なる第２ネットワークへハンドオーバを行う無線端末、情報処理装置、情報処理プログラム及び情報処理方法に関する。
【背景技術】
【０００２】
従来、無線通信方式が異なる複数のネットワーク（例えば、ＣＤＭＡ２０００に準拠する「１ｘＥＶ−ＤＯ」、ＩＥＥＥ８０２．１６ｅに準拠する「ＷｉＭＡＸ」など）に接続可能な無線端末が知られている。
【０００３】
このような無線端末は、複数のネットワーク間における移動性を管理する移動性管理部（ＭＩＨユーザ；Ｍｅｄｉａ  Ｉｎｄｅｐｅｎｄｅｎｔ  Ｈａｎｄｏｖｅｒ  Ｕｓｅｒ）と、自端末と各ネットワークとの間に設定される無線リンクをそれぞれ制御する複数のリンク制御部とを有する。また、移動性管理部と複数のリンク制御部との間に、複数のネットワーク間におけるハンドオーバを制御するハンドオーバ制御部（ＭＩＨＦ；Ｍｅｄｉａ  Ｉｎｄｅｐｅｎｄｅｎｔ  Ｈａｎｄｏｖｅｒ  Ｆｕｎｃｔｉｏｎ）を設けることが提案されている（例えば、非特許文献１）。
【０００４】
具体的には、移動性管理部は、複数の無線パラメータの種類（例えば、ＳＩＮＲ、ＲＳＳＩ、ＤＲＣ、Ｔｘ＿Ｐｏｗｅｒ、ＤＲＣ＿Ｌｏｃｋ）と各無線パラメータに設定された複数の閾値とを示す情報（ＭＩＨ＿Ｃｏｎｆｉｇｕｒｅ．ｒｅｑｕｅｓｔ）をハンドオーバ制御部に通知する。なお、閾値は、ハンドオーバの準備（Ｉｎｉｔｉａｔｉｏｎ  Ａｃｔｉｏｎ）を行うか否かを判定するための第１閾値（Ｉｎｉｔｉａｔｅ  Ａｃｔｉｏｎ  Ｔｈｒｅｓｈｏｌｄ）と、ハンドオーバの実行（Ｅｘｅｃｕｔｅ  Ａｃｔｉｏｎ）を行うか否かを判定するための第２閾値（Ｅｘｅｃｕｔｅ  Ａｃｔｉｏｎ  Ｔｈｒｅｓｈｏｌｄ）と、ハンドオーバの準備の解除（Ｒｏｌｌｂａｃｋ  Ａｃｔｉｏｎ）を行うか否かを判定するための第３閾値（Ｒｏｌｌｂａｃｋ  Ａｃｔｉｏｎ  Ｔｈｒｅｓｈｏｌｄ）とを含む。
【０００５】
ハンドオーバ制御部は、複数の無線パラメータの種類と各無線パラメータに設定された複数の閾値とを示す情報（Ｌｉｎｋ＿Ｃｏｎｆｉｇｕｒｅ＿Ｔｈｒｅｓｈｏｌｄ．ｒｅｑｕｅｓｔ）を、既に設定されている無線リンクを制御するリンク制御部に通知する。
【０００６】
リンク制御部は、無線パラメータ値が第１閾値よりも悪化した場合に、無線パラメータ値を示す情報（Ｌｉｎｋ＿Ｐａｒａｍｅｔｅｒｓ＿Ｒｅｐｏｒｔ．ｉｎｄｉｃａｔｉｏｎ）をハンドオーバ制御部に通知する。ハンドオーバ制御部は、無線パラメータ値を示す情報（ＭＩＨ＿Ｌｉｎｋ＿Ｐａｒａｍｅｔｅｒｓ＿Ｒｅｐｏｒｔ．ｉｎｄｉｃａｔｉｏｎ）を移動性管理部に通知する。
【０００７】
これによって、移動性管理部は、ハンドオーバの準備、すなわち、未だ設定されていない無線リンクの設定を指示する。
【０００８】
続いて、リンク制御部は、無線パラメータ値が第２閾値（第１閾値よりも無線環境が悪化した際における値）よりも悪化した場合に、無線パラメータ値を示す情報（Ｌｉｎｋ＿Ｐａｒａｍｅｔｅｒｓ＿Ｒｅｐｏｒｔ．ｉｎｄｉｃａｔｉｏｎ）をハンドオーバ制御部に通知する。ハンドオーバ制御部は、各無線パラメータ値を示す情報（ＭＩＨ＿Ｌｉｎｋ＿Ｐａｒａｍｅｔｅｒｓ＿Ｒｅｐｏｒｔ．ｉｎｄｉｃａｔｉｏｎ）を移動性管理部に通知する。
【０００９】
これによって、移動性管理部は、ハンドオーバの実行、すなわち、無線端末が接続するネットワークの切り替えを指示する。
【００１０】
一方で、リンク制御部は、無線パラメータ値が第３閾値よりも改善した場合に、無線パラメータ値を示す情報（Ｌｉｎｋ＿Ｐａｒａｍｅｔｅｒｓ＿Ｒｅｐｏｒｔ．ｉｎｄｉｃａｔｉｏｎ）をハンドオーバ制御部に通知する。ハンドオーバ制御部は、ハンドオーバの準備（Ｉｎｉｔｉａｔｉｏｎ  Ａｃｔｉｏｎ）の取り消しを指示する。
【００１１】
このように、リンク制御部は閾値判定を行うだけでよいため、リンク制御部の処理負荷が軽減される。
【非特許文献１】ＩＥＥＥ８０２．２１  Ｄｒａｆｔ  Ｓｔａｎｄａｒｄ  （P８０２．２１/ＤＯ４．００）
【発明の開示】
【発明が解決しようとする課題】
【００１２】
ところで、上述した背景技術では、リンク制御部は、単に、無線パラメータ値が閾値（第１閾値及び第２閾値）よりも悪化すると、無線パラメータ値を示す情報（Ｌｉｎｋ＿Ｐａｒａｍｅｔｅｒｓ＿Ｒｅｐｏｒｔ．ｉｎｄｉｃａｔｉｏｎ）を無線パラメータ毎に個別にハンドオーバ制御部に通知する。
【００１３】
従って、ハンドオーバの準備（Ｉｎｉｔｉａｔｉｏｎ  Ａｃｔｉｏｎ）を行ってから、ハンドオーバの実行（Ｅｘｅｃｕｔｅ  Ａｃｔｉｏｎ）が行われるまでに、無線パラメータ値（無線環境）が変化する場合には、無線パラメータ値を示す情報（Ｌｉｎｋ＿Ｐａｒａｍｅｔｅｒｓ＿Ｒｅｐｏｒｔ．ｉｎｄｉｃａｔｉｏｎ）が頻繁にハンドオーバ制御部に通知される。すなわち、ハンドオーバ制御部の処理負荷が増大してしまう。
【００１４】
一方で、ハンドオーバの準備（Ｉｎｉｔｉａｔｉｏｎ  Ａｃｔｉｏｎ）の取り消しが頻発することを防ぐために、第３閾値を第１閾値と同じ値にすることは好ましくない。従って、ヒステリシスを持たせるために、第３閾値として第１閾値よりも無線環境が改善した際における値が設定されることが一般的である。
【００１５】
従って、無線パラメータ値が実際には第１閾値よりも改善していても、無線パラメータ値を示す情報（Ｌｉｎｋ＿Ｐａｒａｍｅｔｅｒｓ＿Ｒｅｐｏｒｔ．ｉｎｄｉｃａｔｉｏｎ）の送信タイミングによっては、ハンドオーバの準備（Ｉｎｉｔｉａｔｉｏｎ  Ａｃｔｉｏｎ）が取り消されない場合がある。すなわち、無線パラメータ値が実際には改善していても、ハンドオーバの実行（Ｅｘｅｃｕｔｅ  Ａｃｔｉｏｎ）が行われるという誤判定が生じる場合がある。
【００１６】
そこで、本発明は、リンク制御部からハンドオーバ制御部へのメッセージの削減、ハンドオーバの誤判定の抑制を図ることを可能とする無線端末、情報処理装置、情報処理プログラム及び情報処理方法を提供することを目的とする。
【課題を解決するための手段】
【００１７】
本発明の一の特徴では、第１ネットワークから前記第１ネットワークと無線通信方式が異なる第２ネットワークへハンドオーバを行う無線端末は、前記第１ネットワークと無線リンクを設定する第１リンク制御部（例えば、リンク制御部１２Ａ）と、前記第２ネットワークと無線リンクを設定する第２リンク制御部（例えば、リンク制御部１２Ｂ）と、前記第１ネットワークから前記第２ネットワークへの移動性を管理する移動性管理部（ＭＩＨユーザ１４）と、前記第１ネットワークから前記第２ネットワークへのハンドオーバを制御するハンドオーバ制御部（ＭＩＨ機能部１３）とを備え、前記移動性管理部は、前記第２ネットワークと無線リンクの設定を開始する条件である第１条件及び前記第１ネットワークから前記第２ネットワークへのハンドオーバを実行する条件である第２条件を含む条件設定要求を前記ハンドオーバ制御部に通知し、前記ハンドオーバ制御部は、前記移動性管理部から受信した前記条件設定要求を前記第１リンク制御部に通知し、前記第１条件は、前記第１ネットワークと設定された無線リンクにおいて複数の無線パラメータが満たすべき閾値の組み合わせを示しており、前記第２条件は、前記第１ネットワークと設定された無線リンクにおいて複数の無線パラメータが満たすべき閾値の組み合わせを示している。
【００１８】
かかる特徴によれば、移動性管理部は、複数の無線パラメータが満たすべき閾値の組み合わせを示す第１条件及び第２条件を含む条件設定要求をハンドオーバ制御部に通知する。ハンドオーバ制御部は、移動性管理部から受信した条件設定要求を第１リンク制御部に通知する。
【００１９】
従って、無線パラメータのそれぞれが閾値を超える度に、無線パラメータ値を示す情報を第１リンク制御部が個別にハンドオーバ制御部に通知する必要がなくなり、第１リンク制御部からハンドオーバ制御部へのメッセージが削減される。
【００２０】
また、複数の無線パラメータが満たすべき閾値の組み合わせを第１リンク制御部が把握しているため、無線パラメータ値を示す情報の送信タイミングに依存せずに、ハンドオーバ動作を適切に行うことができ、ハンドオーバの誤判定が抑制される。
【００２１】
本発明の上述した特徴において、前記条件設定要求は、前記第１条件が満たされているか否かを判定する周期、及び、前記第２条件が満たされているか否かを判定する周期を含むことが好ましい。
【００２２】
本発明の一の特徴では、情報処理装置は、第１ネットワークから前記第１ネットワークと無線通信方式が異なる第２ネットワークへの移動性を管理する移動性管理部と、前記第１ネットワークから前記第２ネットワークへのハンドオーバを制御するハンドオーバ制御部とを備え、前記移動性管理部は、前記第２ネットワークと無線リンクの設定を開始する条件である第１条件及び前記第１ネットワークから前記第２ネットワークへのハンドオーバを実行する条件である第２条件を含む条件設定要求を前記ハンドオーバ制御部に通知し、前記ハンドオーバ制御部は、前記移動性管理部から受信した前記条件設定要求を、前記第１ネットワークと無線リンクを設定する第１リンク制御部に通知し、前記第１条件は、前記第１ネットワークと設定された無線リンクにおいて複数の無線パラメータが満たすべき閾値の組み合わせを示しており、前記第２条件は、前記第１ネットワークと設定された無線リンクにおいて複数の無線パラメータが満たすべき閾値の組み合わせを示している。
【００２３】
本発明の一の特徴では、第１ネットワークから前記第１ネットワークと無線通信方式が異なる第２ネットワークへの移動性を管理する移動性管理部と、前記第１ネットワークから前記第２ネットワークへのハンドオーバを制御するハンドオーバ制御部とを備えた情報処理装置に適用される情報処理プログラムは、前記移動性管理部が、前記第２ネットワークと無線リンクの設定を開始する条件である第１条件及び前記第１ネットワークから前記第２ネットワークへのハンドオーバを実行する条件である第２条件を含む条件設定要求を前記ハンドオーバ制御部に通知するステップと、前記ハンドオーバ制御部が、前記移動性管理部から受信した前記条件設定要求を、前記第１ネットワークと無線リンクを設定する第１リンク制御部に通知するステップとをコンピュータに実行させ、前記第１条件は、前記第１ネットワークと設定された無線リンクにおいて複数の無線パラメータが満たすべき閾値の組み合わせを示しており、前記第２条件は、前記第１ネットワークと設定された無線リンクにおいて複数の無線パラメータが満たすべき閾値の組み合わせを示している。
【００２４】
本発明の一の特徴では、第１ネットワークから前記第１ネットワークと無線通信方式が異なる第２ネットワークへの移動性を管理するＭＩＨユーザと、前記第１ネットワークから前記第２ネットワークへのハンドオーバを制御するＭＩＨ機能部とを備えた情報処理装置で用いられる情報処理方法は、前記ＭＩＨユーザが、前記第２ネットワークと無線リンクの設定を開始する条件である第１条件及び前記第１ネットワークから前記第２ネットワークへのハンドオーバを実行する条件である第２条件を含むＬｉｎｋ＿Ｃｏｎｆｉｇｕｒｅ＿Ｔｈｒｅｓｈｏｌｄ．ｒｅｑｕｅｓｔを前記ＭＩＨ機能部に通知するステップと、前記ＭＩＨ機能部が、前記ＭＩＨユーザから受信した前記Ｌｉｎｋ＿Ｃｏｎｆｉｇｕｒｅ＿Ｔｈｒｅｓｈｏｌｄ．ｒｅｑｕｅｓｔを、前記第１ネットワークと無線リンクを設定する第１リンク制御部に通知するステップとを含み、前記第１条件は、前記第１ネットワークと設定された無線リンクにおいて複数の無線パラメータが満たすべき閾値の組み合わせを示しており、前記第２条件は、前記第１ネットワークと設定された無線リンクにおいて複数の無線パラメータが満たすべき閾値の組み合わせを示している。
【発明の効果】
【００２５】
本発明の特徴によれば、リンク制御部からハンドオーバ制御部へのメッセージの削減、ハンドオーバの誤判定の抑制を図ることを可能とする無線端末、情報処理装置、情報処理プログラム及び情報処理方法を提供することができる。
【発明を実施するための最良の形態】
【００２６】
以下において、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２７】
したがって、具体的な寸法などは以下の説明を参酌して判断すべきものである。また、図面相互間においても互いの寸法の関係や比率が異なる部分が含まれていることは勿論である。
【００２８】
（通信システムの構成）
以下において、本実施形態に係る通信システムの構成について、図面を参照しながら説明する。図１は、本実施形態に係る通信システムの構成を示す図である。
【００２９】
図１に示すように、通信システムは、無線端末１０と、複数のネットワーク（第１ネットワーク１００〜第３ネットワーク３００）とによって構成されている。
【００３０】
無線端末１０は、複数のネットワークと無線通信を行うことが可能に構成された端末である。なお、無線端末１０の詳細については後述する。
【００３１】
複数のネットワークは、無線通信方式（物理レイヤやリンクレイヤの構成）が異なるネットワークである。例えば、第１ネットワーク１００は、ＣＤＭＡ２０００に準拠する「１ｘＥＶ−ＤＯ」が採用されたネットワークである。第２ネットワーク２００は、ＩＥＥＥ８０２．１６ｅに準拠する「ＷｉＭＡＸ」が採用されたネットワークである。第３ネットワーク３００は、ＩＥＥＥ８０２．１１に準拠する「ＷＬＡＮ」が採用されたネットワークである。
【００３２】
（無線端末の構成）
以下において、本実施形態に係る無線端末１０の構成について、図面を参照しながら説明する。図２は、本実施形態に係る無線端末１０の構成を示すブロック図である。
【００３３】
図２に示すように、無線端末１０は、複数の無線通信部１１（無線通信部１１Ａ〜無線通信部１１Ｃ）と、複数のリンク制御部１２（リンク制御部１２Ａ〜リンク制御部１２Ｃ）と、ＭＩＨ機能部１３と、ＭＩＨユーザ１４と、アプリケーション処理部１５とを有する。
【００３４】
無線通信部１１は、上位レイヤ（例えば、アプリケーション処理部１５）からの指示に応じて、物理レイヤにおける物理的な無線接続を各ネットワークと設定する。
【００３５】
具体的には、無線通信部１１Ａは、「１ｘＥＶ−ＤＯ」に対応する物理的な無線接続を第１ネットワーク１００と設定する。無線通信部１１Ｂは、「ＷｉＭＡＸ」に対応する物理的な無線接続を第２ネットワーク２００と設定する。無線通信部１１Ｃは、「ＷＬＡＮ」に対応する物理的な無線接続を第３ネットワーク３００と設定する。
【００３６】
リンク制御部１２は、上位レイヤ（例えば、アプリケーション処理部１５）からの指示に応じて、リンクレイヤにおける無線リンクを各ネットワークと設定する。リンク制御部１２は、各ネットワークと設定された無線リンクにおいて、各種無線パラメータ（Ｌｉｎｋ  Ｐａｒａｍｅｔｅｒ）を監視する。
【００３７】
具体的には、リンク制御部１２Ａは、無線通信部１１Ａとのインターフェース（デバイスドライバ）機能を有しており、「１ｘＥＶ−ＤＯ」に対応する無線リンクを第１ネットワーク１００と設定する。リンク制御部１２Ｂは、無線通信部１１Ｂとのインターフェース（デバイスドライバ）機能を有しており、「ＷｉＭＡＸ」に対応する無線リンクを第２ネットワーク２００と設定する。リンク制御部１２Ｃは、無線通信部１１Ｃとのインターフェース（デバイスドライバ）機能を有しており、「ＷＬＡＮ」に対応する無線リンクを第３ネットワーク３００と設定する。
【００３８】
ＭＩＨ機能部１３は、ＭＩＨ機能部１３よりも上位レイヤとして機能するＭＩＨユーザ１４からの指示に応じて、ネットワーク間のハンドオーバを制御するハンドオーバ制御部である。ＭＩＨ機能部１３は、物理レイヤの構成に依存しないメディア非依存ハンドオーバ機能（Ｍｅｄｉａ  Ｉｎｄｅｐｅｎｄｅｎｔ  Ｈａｄｏｖｅｒ  Ｆｕｎｃｔｉｏｎ）であり、ＩＥＥＥ８０２．２１において規定されている。
【００３９】
ＭＩＨユーザ１４は、ＭＩＨユーザ１４よりも上位レイヤとして機能するアプリケーション処理部１５からの指示に応じて、ネットワーク間における移動性を管理する移動性管理部である。ＭＩＨユーザ１４は、ＭＩＨ機能部１３よりも上位レイヤとして機能する。
【００４０】
アプリケーション処理部１５は、ＭＩＨユーザ１４よりも上位レイヤとして機能し、各種アプリケーションなどを処理する。
【００４１】
ここで、ＭＩＨユーザ１４は、図３に示すように、自端末が接続しているネットワークにおいてハンドオーバを行う各種条件を管理している。具体的には、ＭＩＨユーザ１４は、無線パラメータの種類、第１閾値（Ｉｎｉｔｉａｔｅ  Ａｃｔｉｏｎ  Ｔｈｒｅｓｈｏｌｄ）と、第２閾値（Ｅｘｅｃｕｔｅ  Ａｃｔｉｏｎ  Ｔｈｒｅｓｈｏｌｄ）と、第１判定用論理式と、第２判定用論理式とをネットワーク毎に管理している。
【００４２】
無線パラメータの種類は、自端末が接続しているネットワークと設定する無線リンクにおいて監視すべき無線パラメータを示している。
【００４３】
例えば、自端末が接続しているネットワークが第１ネットワーク１００である場合には、第１ネットワーク１００と設定する無線リンクにおいて、以下に示す無線パラメータがリンク制御部１２Ａによって監視される。
【００４４】
（ａ）信号対干渉波雑音比（ＳＩＮＲ）
（ｂ）受信電界強度（ＲＳＳＩ）
（ｃ）ＤＲＣ（Ｄａｔａ  Ｒａｔｅ  Ｃｏｎｔｒｏｌ）
（ｄ）送信電力（Ｔｘ＿Ｐｏｗｅｒ）
（ｅ）無線基地局が無線端末から送信されたＤＲＣを正常に受信する割合（ＤＲＣ＿Ｌｏｃｋ）
【００４５】
自端末が接続しているネットワークが第２ネットワーク２００である場合には、第２ネットワーク２００と設定する無線リンクにおいて、以下に示す無線パラメータがリンク制御部１２Ｂによって監視される。
【００４６】
（ａ）信号対干渉波雑音比（ＳＩＮＲ）
（ｂ）受信電界強度（ＲＳＳＩ）
（ｃ）ＤＬ−ＭＡＰ受信成功率（Ｓｕｃｃｅｓｓｆｕｌ  Ｒａｔｉｏ  ｏｆ  ＤＬ−ＭＡＰ  Ｒｅｃｅｉｖｅ）
（ｄ）伝送レート（Ｒａｔｅ）
（ｅ）上り変調クラス（Ｕｐｌｉｎｋ  Ｍｏｄｕｌａｔｉｏｎ  Ｃｌａｓｓ）
（ｆ）送信電力（Ｔｘ＿Ｐｏｗｅｒ）
【００４７】
自端末が接続しているネットワークが第３ネットワーク３００である場合には、第３ネットワーク３００と設定する無線リンクにおいて、以下に示す無線パラメータがリンク制御部１２Ｃによって監視される。
【００４８】
（ａ）搬送波対干渉波比（ＣＩＲ）
（ｂ）受信電界強度（ＲＳＳＩ）
（ｃ）パケットエラーレート（ＰＥＲ）
（ｄ）伝送レート（Ｒａｔｅ）
【００４９】
第１閾値（Ｉｎｉｔｉａｔｅ  Ａｃｔｉｏｎ  Ｔｈｒｅｓｈｏｌｄ）は、ハンドオーバの準備（Ｉｎｉｔｉａｔｉｏｎ  Ａｃｔｉｏｎ）を行うか否かを判定するために、各無線パラメータに設定された閾値である。ここで、ハンドオーバの準備（Ｉｎｉｔｉａｔｉｏｎ  Ａｃｔｉｏｎ）とは、一のネットワークと無線リンクを設定しているケースにおいて、他のネットワークと無線リンクを設定する動作である。
【００５０】
例えば、自端末が接続しているネットワークが第１ネットワーク１００である場合には、信号対干渉波雑音比（ＳＩＮＲ）に設定された閾値は“０ｄＢ”である。他の無線パラメータについても同様に、“−８０ｄＢｍ”、“６”、“１５ｄＢｍ”、“０．８”が設定されている。
【００５１】
自端末が接続しているネットワークが第２ネットワーク２００である場合には、信号対干渉波雑音比（ＳＩＮＲ）に設定された閾値は“３ｄＢ”である。他の無線パラメータについても同様に、“−７０ｄＢｍ”、“０．９”、“５００ｋｂｐｓ”、“ＱＰＳＫ  ３／４”、“１５ｄＢｍ”が設定されている。
【００５２】
自端末が接続しているネットワークが第３ネットワーク３００である場合には、搬送波対干渉波比（ＣＩＲ）に設定された閾値は“３ｄＢ”である。他の無線パラメータについても同様に、“−７５ｄＢｍ”、“０．１”、“５００ｋｂｐｓ”が設定されている。
【００５３】
第２閾値（Ｅｘｅｃｕｔｅ  Ａｃｔｉｏｎ  Ｔｈｒｅｓｈｏｌｄ）は、ハンドオーバの実行（Ｅｘｅｃｕｔｅ  Ａｃｔｉｏｎ）を行うか否かを判定するために、各無線パラメータに設定された閾値である。ここで、ハンドオーバの実行（Ｅｘｅｃｕｔｅ  Ａｃｔｉｏｎ）とは、一のネットワーク及び他のネットワークと無線リンクを設定しているケースにおいて、自端末が接続するネットワークを切り替える動作である。なお、第２閾値（Ｅｘｅｃｕｔｅ  Ａｃｔｉｏｎ  Ｔｈｒｅｓｈｏｌｄ）としては、第１閾値（Ｉｎｉｔｉａｔｅ  Ａｃｔｉｏｎ  Ｔｈｒｅｓｈｏｌｄ）よりも無線環境が悪化した際における値が設定される。
【００５４】
例えば、自端末が接続しているネットワークが第１ネットワーク１００である場合には、信号対干渉波雑音比（ＳＩＮＲ）に設定された閾値は“−５ｄＢ”である。他の無線パラメータについても同様に、“−９０ｄＢｍ”、“４”、“２３ｄＢｍ”、“０．８”が設定されている。
【００５５】
自端末が接続しているネットワークが第２ネットワーク２００である場合には、信号対干渉波雑音比（ＳＩＮＲ）に設定された閾値は“−２ｄＢ”である。他の無線パラメータについても同様に、“−８０ｄＢｍ”、“０．８”、“２００ｋｂｐｓ”、“ＱＰＳＫ  １／２”、“２３ｄＢｍ”が設定されている。
【００５６】
自端末が接続しているネットワークが第３ネットワーク３００である場合には、搬送波対干渉波比（ＣＩＲ）に設定された閾値は“０ｄＢ”である。他の無線パラメータについても同様に、“−８５ｄＢｍ”、“０．１”、“５００ｋｂｐｓ”が設定されている。
【００５７】
第１判定用論理式は、ハンドオーバの準備（Ｉｎｉｔｉａｔｉｏｎ  Ａｃｔｉｏｎ）を行う条件（第１条件）である。具体的には、第１判定用論理式は、自端末が接続しているネットワークと設定する無線リンクにおいて複数の無線パラメータが満たすべき閾値の組み合わせを示している。
【００５８】
例えば、自端末が接続しているネットワークが第１ネットワーク１００である場合には、下記条件のいずれかが満たされた場合に、ハンドオーバの準備（Ｉｎｉｔｉａｔｉｏｎ  Ａｃｔｉｏｎ）が行われる。
【００５９】
（ａ）ＳＩＮＲ、ＲＳＳＩ及びＤＲＣの全てが上述した第１閾値よりも悪化する
（ｂ）Ｔｘ＿Ｐｏｗｅｒ及びＤＲＣ＿Ｌｏｃｋの全てが上述した第１閾値よりも悪化する
【００６０】
自端末が接続しているネットワークが第２ネットワーク２００である場合には、下記条件のいずれかが満たされた場合に、ハンドオーバの準備（Ｉｎｉｔｉａｔｉｏｎ  Ａｃｔｉｏｎ）が行われる。
【００６１】
（ａ）ＳＩＮＲ、ＲＳＳＩ及びＳｕｃｃｅｓｓｆｕｌ  ｒａｔｉｏ  ｏｆ  ＤＬ−ＭＡＰ  Ｒｅｃｅｉｖｅの全てが上述した第１閾値よりも悪化する
（ｂ）Ｔｘ＿Ｐｏｗｅｒ及び上り変調クラスの全てが上述した第１閾値よりも悪化（低下）する
【００６２】
自端末が接続しているネットワークが第３ネットワーク３００である場合には、下記条件のいずれかが満たされた場合に、ハンドオーバの準備（Ｉｎｉｔｉａｔｉｏｎ  Ａｃｔｉｏｎ）が行われる。
【００６３】
（ａ）ＣＩＲ及びＰＥＲの全てが上述した第１閾値よりも悪化する
（ｂ）ＲＳＳＩが上述した第１閾値よりも悪化する
【００６４】
第２判定用論理式は、ハンドオーバの実行（Ｅｘｅｃｕｔｅ  Ａｃｔｉｏｎ）を行う条件（第２条件）である。具体的には、第２判定用論理式は、自端末が接続しているネットワークと設定する無線リンクにおいて複数の無線パラメータが満たすべき閾値の組み合わせを示している。
【００６５】
なお、本実施形態では、無線パラメータが満たすべき閾値の組み合わせは、第１判定用論理式と第２判定用論理式とで同じであるが、これに限定されるものではない。すなわち、無線パラメータが満たすべき閾値の組み合わせは、第１判定用論理式と第２判定用論理式とで異なっていてもよい。
【００６６】
（通信システムの動作）
以下において、本実施形態に係る通信システムの動作について、図面を参照しながら説明する。図４は、本実施形態に係る通信システムの動作を示すシーケンス図である。なお、図４では、第１ネットワーク１００から第２ネットワーク２００へのハンドオーバ動作を例に挙げて説明することに留意すべきである。
【００６７】
図４に示すように、ステップ１０において、アプリケーション処理部１５は、新たなアプリケーションに要求されるサービス品質（ＱｏＳ  Ｒｅｑｕｉｒｅｍｅｎｔ）をＭＩＨユーザ１４に通知する。
【００６８】
ステップ１１において、ＭＩＨユーザ１４は、第１ネットワーク１００から第２ネットワーク２００へのハンドオーバに係る条件の設定を要求する条件設定要求（Ｌｉｎｋ＿Ｃｏｎｆｉｇｕｒｅ＿Ｔｈｒｅｓｈｏｌｄ．ｒｅｑｕｅｓｔ）を、ＭＩＨ機能部１３を介してリンク制御部１２Ａに通知する。
【００６９】
条件設定要求（Ｌｉｎｋ＿Ｃｏｎｆｉｇｕｒｅ＿Ｔｈｒｅｓｈｏｌｄ．ｒｅｑｕｅｓｔ）は、ハンドオーバの準備（Ｉｎｉｔｉａｔｉｏｎ  Ａｃｔｉｏｎ）を行う条件（第１条件）と、ハンドオーバの実行（Ｅｘｅｃｕｔｅ  Ａｃｔｉｏｎ）を行う条件（第２条件）とを少なくとも含む。
【００７０】
具体的には、条件設定要求（Ｌｉｎｋ＿Ｃｏｎｆｉｇｕｒｅ＿Ｔｈｒｅｓｈｏｌｄ．ｒｅｑｕｅｓｔ）は、図５に示すように、無線パラメータの種類、第１閾値（Ｉｎｉｔｉａｔｅ  Ａｃｔｉｏｎ  Ｔｈｒｅｓｈｏｌｄ）、第２閾値（Ｅｘｅｃｕｔｅ  Ａｃｔｉｏｎ  Ｔｈｒｅｓｈｏｌｄ）、第１判定用論理式（Ｉｎｉｔｉａｔｉｏｎ  Ａｃｔｉｏｎ）、第２判定用論理式（Ｅｘｅｃｕｔｅ  Ａｃｔｉｏｎ）及び判定周期（Ｉｎｔｒｅｖａｌ  ｆｏｒ  ｊｕｄｇｅｍｅｎｔ）を少なくとも含む。
【００７１】
判定周期（Ｉｎｔｒｅｖａｌ  ｆｏｒ  ｊｕｄｇｅｍｅｎｔ）とは、第１判定用論理式（Ｉｎｉｔｉａｔｉｏｎ  Ａｃｔｉｏｎ）が満たされているか否かを判定する周期、第２判定用論理式（Ｅｘｅｃｕｔｅ  Ａｃｔｉｏｎ）が満たされているか否かを判定する周期を指定する情報である。
【００７２】
なお、第１判定用論理式が満たされているか否かを判定する周期と第２判定用論理式が満たされているか否かを判定する周期とは異なっていてもよい。すなわち、判定周期（Ｉｎｔｒｅｖａｌ  ｆｏｒ  ｊｕｄｇｅｍｅｎｔ）は、第１判定用論理式が満たされているか否かを判定する周期と第２判定用論理式が満たされているか否かを判定する周期とを個別に指定してもよい。
【００７３】
また、条件設定要求（Ｌｉｎｋ＿Ｃｏｎｆｉｇｕｒｅ＿Ｔｈｒｅｓｈｏｌｄ．ｒｅｑｕｅｓｔ）は、第３閾値（Ｒｏｌｌｂａｃｋ  Ａｃｔｉｏｎ  Ｔｈｒｅｓｈｏｌｄ）を含んでいてもよい。第３閾値（Ｒｏｌｌｂａｃｋ  Ａｃｔｉｏｎ  Ｔｈｒｅｓｈｏｌｄ）は、ハンドオーバの準備（Ｉｎｉｔｉａｔｉｏｎ  Ａｃｔｉｏｎ）を解除するか否かを判定するための閾値である。なお、第３閾値（Ｒｏｌｌｂａｃｋ  Ａｃｔｉｏｎ  Ｔｈｒｅｓｈｏｌｄ）としては、ヒステリシスを持たせるために、第１閾値（Ｉｎｉｔｉａｔｅ  Ａｃｔｉｏｎ  Ｔｈｒｅｓｈｏｌｄ）よりも無線環境が改善した際における値が設定されることが好ましい。
【００７４】
ここで、第１判定用論理式（Ｉｎｉｔｉａｔｉｏｎ  Ａｃｔｉｏｎ）、第２判定用論理式（Ｅｘｅｃｕｔｅ  Ａｃｔｉｏｎ）及び判定周期（Ｉｎｔｒｅｖａｌ  ｆｏｒ  ｊｕｄｇｅｍｅｎｔ）は、背景技術ではＬｉｎｋ＿Ｃｏｎｆｉｇｕｒｅ＿Ｔｈｒｅｓｈｏｌｄ．ｒｅｑｕｅｓｔに含まれていないことに留意すべきである。
【００７５】
ステップＳ１２において、ＭＩＨ機能部１３は、ＭＩＨユーザ１４から受信した条件設定要求（Ｌｉｎｋ＿Ｃｏｎｆｉｇｕｒｅ＿Ｔｈｒｅｓｈｏｌｄ．ｒｅｑｕｅｓｔ）をリンク制御部１２Ａに通知する。
【００７６】
ステップ１３において、リンク制御部１２Ａは、条件の設定が完了したことを示すＬｉｎｋ＿Ｃｏｎｆｉｇｕｒｅ＿Ｔｈｒｅｓｈｏｌｄ．ｃｏｎｆｉｒｍをＭＩＨ機能部１３に通知する。
【００７７】
ステップ１４において、ＭＩＨ機能部１３は、リンク制御部１２Ａから受信したＬｉｎｋ＿Ｃｏｎｆｉｇｕｒｅ＿Ｔｈｒｅｓｈｏｌｄ．ｃｏｎｆｉｒｍをＭＩＨユーザ１４に通知する。
【００７８】
ステップ１５において、リンク制御部１２Ａは、第１ネットワーク１００と設定された無線リンクにおける無線パラメータ値がＭＩＨユーザ１４によって指定された第１閾値よりも悪化しているか否かを監視する。続いて、リンク制御部１２Ａは、各無線パラメータ値が第１判定用論理式を満したか否かを判定する。ここでは、第１判定用論理式が満たされたものとして説明を続ける。
【００７９】
ステップ１６において、リンク制御部１２Ａは、第１ネットワーク１００と設定された無線リンクにおける無線パラメータ値を示すＬｉｎｋ＿Ｐａｒａｍｅｔｅｒｓ＿Ｒｅｐｏｒｔ．ｉｎｄｉｃａｔｉｏｎをＭＩＨ機能部１３に通知する。
【００８０】
具体的には、Ｌｉｎｋ＿Ｐａｒａｍｅｔｅｒｓ＿Ｒｅｐｏｒｔ．ｉｎｄｉｃａｔｉｏｎは、図６に示すように、旧無線パラメータ値、新無線パラメータ値、動作の種類及び判定用論理式を含む。
【００８１】
旧無線パラメータ値は、ＭＩＨ機能部１３に前回通知した値であり、新無線パラメータ値は、ＭＩＨ機能部１３に今回通知する値である。動作の種類は、ハンドオーバの準備（Ｉｎｉｔｉａｔｉｏｎ  Ａｃｔｉｏｎ）又はハンドオーバの実行（Ｅｘｅｃｕｔｅ  Ａｃｔｉｏｎ）を示す情報である。判定用論理式は、第１判定用論理式（Ｉｎｉｔｉａｔｉｏｎ  Ａｃｔｉｏｎ）又は第２判定用論理式（Ｅｘｅｃｕｔｅ  Ａｃｔｉｏｎ）を示す情報である。
【００８２】
ここで、動作の種類及び判定用論理式は、背景技術ではＬｉｎｋ＿Ｐａｒａｍｅｔｅｒｓ＿Ｒｅｐｏｒｔ．ｉｎｄｉｃａｔｉｏｎに含まれていない情報であることに留意すべきである。
【００８３】
なお、ステップ１６では、動作の種類には、ハンドオーバの準備（Ｉｎｉｔｉａｔｉｏｎ  Ａｃｔｉｏｎ）が設定されており、判定用論理式には、第１判定用論理式（Ｉｎｉｔｉａｔｉｏｎ  Ａｃｔｉｏｎ）が設定されている。
【００８４】
ステップ１７において、ＭＩＨ機能部１３は、第１ネットワーク１００と設定された無線リンクにおける無線パラメータ値を示すＭＩＨ＿Ｌｉｎｋ＿Ｐａｒａｍｅｔｅｒｓ＿Ｒｅｐｏｒｔ．ｉｎｄｉｃａｔｉｏｎをＭＩＨユーザ１４に通知する。
【００８５】
ステップ１８において、ＭＩＨユーザ１４は、ハンドオーバの準備（Ｉｎｉｔｉａｔｉｏｎ  Ａｃｔｉｏｎ）を要求するＭＩＨ＿Ｈａｎｄｏｖｅｒ＿Ｐｒｅｐａｒｅ．ｒｅｑｕｅｓｔをＭＩＨ機能部１３に通知する。
【００８６】
ステップ１９において、ＭＩＨ機能部１３は、第２ネットワーク２００と無線リンクを設定することを要求するＬｉｎｋ＿Ｕｐ．ｒｅｑｕｅｓｔをリンク制御部１２Ｂに通知する。
【００８７】
ステップ２０において、リンク制御部１２Ｂは、第２ネットワーク２００と無線リンクを設定する。なお、無線リンクの設定に先立って、第２ネットワーク２００と物理的な無線接続を無線通信部１１Ｂが設定することは勿論である。
【００８８】
ステップ２１において、リンク制御部１２Ｂは、第２ネットワーク２００と無線リンクが設定されたことを示すＬｉｎｋ＿Ｕｐ．ｉｎｄｉｃａｔｉｏｎをＭＩＨ機能部１３に通知する。
【００８９】
ステップ２２において、ＭＩＨ機能部１３は、ハンドオーバの準備（Ｉｎｉｔｉａｔｉｏｎ  Ａｃｔｉｏｎ）が完了したことを示すＭＩＨ＿Ｈａｎｄｏｖｅｒ＿Ｐｒｅｐａｒｅ．ｃｏｎｆｉｒｍをＭＩＨユーザ１４に通知する。
【００９０】
ステップ２３において、リンク制御部１２Ａは、第１ネットワーク１００と設定された無線リンクにおける無線パラメータ値がＭＩＨ機能部１３によって指定された第２閾値よりも悪化しているか否かを監視する。続いて、リンク制御部１２Ａは、各無線パラメータ値が第２判定用論理式を満たすか否かを判定する。ここでは、第２判定用論理式が満たされたものとして説明を続ける。
【００９１】
ステップ２４において、リンク制御部１２Ａは、第１ネットワーク１００と設定された無線リンクにおける無線パラメータ値を示すＬｉｎｋ＿Ｐａｒａｍｅｔｅｒｓ＿Ｒｅｐｏｒｔ．ｉｎｄｉｃａｔｉｏｎをＭＩＨ機能部１３に通知する。ここで、Ｌｉｎｋ＿Ｐａｒａｍｅｔｅｒｓ＿Ｒｅｐｏｒｔ．ｉｎｄｉｃａｔｉｏｎは、上述したステップ１６で送信される情報と同様である。
【００９２】
なお、ステップ２４では、動作の種類には、ハンドオーバの実行（Ｅｘｅｃｕｔｅ  Ａｃｔｉｏｎ）が設定されており、判定用論理式には、第２判定用論理式（Ｅｘｅｃｕｔｅ  Ａｃｔｉｏｎ）が設定されている。
【００９３】
ステップ２５において、ＭＩＨ機能部１３は、第１ネットワーク１００と設定された無線リンクにおける無線パラメータ値を示すＭＩＨ＿Ｌｉｎｋ＿Ｐａｒａｍｅｔｅｒｓ＿Ｒｅｐｏｒｔ．ｉｎｄｉｃａｔｉｏｎをＭＩＨユーザ１４に通知する。
【００９４】
ステップ２６において、ＭＩＨユーザ１４は、自端末が接続するネットワークの切り替えを指示するＭＩＨ＿ＳｗｉｃｈをＭＩＨ機能部１３に通知する。
【００９５】
ステップ２７において、ＭＩＨ機能部１３は、自端末が接続するネットワークを第１ネットワーク１００から第２ネットワーク２００へ切り替える。
【００９６】
ステップ２８において、ＭＩＨ機能部１３は、ハンドオーバを完了してもよいかを確認するＭＩＨ＿Ｃｏｍｍｉｔ．ｒｅｑｕｅｓｔをＭＩＨユーザ１４に通知する。
【００９７】
ステップ２９において、ＭＩＨユーザ１４は、ハンドオーバの完了を要求するＭＩＨ＿Ｈａｎｄｏｖｅｒ＿Ｃｏｍｐｌｅｔｅ．ｒｅｑｕｅｓｔをＭＩＨ機能部１３に通知する。
【００９８】
ステップ３０において、ＭＩＨ機能部１３は、第１ネットワーク１００と設定された無線リンクの解放を要求するＬｉｎｋ＿Ｔｅａｒｄｏｗｎ．Ｒｅｑｕｅｓｔをリンク制御部１２Ａに通知する。
【００９９】
ステップ３１において、リンク制御部１２Ａは、第１ネットワーク１００と設定された無線リンクを解放する。
【０１００】
ステップ３２において、リンク制御部１２Ａは、第１ネットワーク１００と設定された無線リンクの解放が完了したことを示すＬｉｎｋ＿Ｐａｒａｍｅｔｅｒｓ＿Ｒｅｐｏｒｔ．ｉｎｄｉｃａｔｉｏｎをＭＩＨ機能部１３に通知する。
【０１０１】
ステップ３３において、ＭＩＨ機能部１３は、ハンドオーバが完了したことを示すＭＩＨ＿Ｈａｎｄｏｖｅｒ＿Ｃｏｍｐｌｅｔｅ．ｒｅｓｐｏｎｓｅをＭＩＨユーザ１４に通知する。
【０１０２】
（作用及び効果）
本実施形態によれば、ＭＩＨユーザ１４は、複数の無線パラメータが満たすべき閾値の組み合わせを示す第１判定用論理式及び第２判定用論理式を含むＬｉｎｋ＿Ｃｏｎｆｉｇｕｒｅ＿Ｔｈｒｅｓｈｏｌｄ．ｒｅｑｕｅｓｔをＭＩＨ機能部１３に通知する。ＭＩＨ機能部１３は、ＭＩＨユーザ１４から受信したＬｉｎｋ＿Ｃｏｎｆｉｇｕｒｅ＿Ｔｈｒｅｓｈｏｌｄ．ｒｅｑｕｅｓｔをリンク制御部１２に通知する。
【０１０３】
従って、無線パラメータのそれぞれが閾値を超える度に、無線パラメータ値を示す情報をリンク制御部１２が個別にＭＩＨ機能部１３に通知する必要がなくなり、リンク制御部１２からＭＩＨ機能部１３へのメッセージが削減される。
【０１０４】
また、複数の無線パラメータが満たすべき閾値の組み合わせをリンク制御部１２が把握しているため、無線パラメータ値を示す情報の送信タイミングに依存せずに、ハンドオーバ動作を適切に行うことができ、ハンドオーバの誤判定が抑制される。
【０１０５】
また、閾値と判定用論理式とによって判定を行っている理由としては、無線通信システムでは、上り／下り方向で通信方式が異なる場合に、送信側の能力（無線基地局からの送信又は無線端末からの送信）が異なるため、１つの無線パラメータ及び１つの閾値のみで全てを判定することが好ましいと言えないからである。本実施形態のように、複数の無線パラメータの閾値と判定用論理式とを組み合わせて判定することによって、適切な判定を精度よく行うことができる。
【０１０６】
［その他の実施形態］
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１０７】
上述した実施形態では特に触れていないが、無線通信部１１の全て又は一部は、無線端末１０から着脱可能に構成されていてもよい。同様に、リンク制御部１２の全て又は一部は、無線通信部１１とともに無線端末１０から着脱可能に構成されていてもよい。
【０１０８】
なお、無線端末１０から無線通信部１１が除かれた構成を有する装置を情報処理装置と称する。同様に、無線端末１０から無線通信部１１及びリンク制御部１２が除かれた構成を有する装置を情報処理装置と称する。
【０１０９】
無線端末１０（又は、情報処理装置）の動作は、コンピュータにおいて実行可能なプログラムとしても提供することができる。
【０１１０】
上述した実施形態では、第１ネットワーク１００から第２ネットワーク２００へのハンドオーバ動作を例に挙げて説明したが、これに限定されるものではない。本発明は、無線通信方式が異なる複数のネットワーク間におけるハンドオーバ動作に適用可能である。
【０１１１】
上述した実施形態では、アプリケーション処理部１５及びＭＩＨユーザ１４が個別に設けられていたが、アプリケーション処理部１５及びＭＩＨユーザ１４が一体に設けられていてもよい。この場合、アプリケーション処理部１５及びＭＩＨユーザ１４によって移動性管理部が構成される。
【０１１２】
また、上述した実施形態では、１つのＭＩＨユーザ１４が設けられていたが、複数のＭＩＨユーザ１４を設ける構成であってもよい。
【０１１３】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１１４】
【図１】本発明の実施形態に係る通信システムの構成を示す図である。
【図２】本発明の実施形態に係る無線端末の構成を示すブロック図である。
【図３】本発明の実施形態に係るＭＩＨユーザで管理される情報を示す図である。
【図４】本発明の実施形態に係る通信システムの動作を示すシーケンス図である。
【図５】本発明の実施形態に係るＬｉｎｋ＿Ｃｏｎｆｉｇｕｒｅ＿Ｔｈｒｅｓｈｏｌｄ．ｒｅｑｕｅｓｔの一例を示す図である。
【図６】本発明の実施形態に係るＬｉｎｋ＿Ｐａｒａｍｅｔｅｒｓ＿Ｒｅｐｏｒｔ．ｉｎｄｉｃａｔｉｏｎの一例を示す図である。
【符号の説明】
【０１１５】
１０・・・無線端末、１１・・・無線通信部、１２・・・リンク制御部、１３・・・ＭＩＨ機能部、１４・・・ＭＩＨユーザ、１５・・・アプリケーション処理部、１００・・・第１ネットワーク、２００・・・第２ネットワーク、３００・・・第３ネットワーク
【図１】
0005414980.tif 000002
【図２】
0005414980.tif 000003
【図３】
0005414980.tif 000004
【図４】
0005414980.tif 000005
【図５】
0005414980.tif 000006
【図６】
0005414980.tif 000007